(57)【要約】【課題】免震時に上部構造部を上下させず、しかも、簡素な構造で、復元力や変位抑制力を生じさせることができる転がり免震支承構造を提供する。【解決手段】球形殻状の外転動体２の内部に、球形の質量体３と、外転動体２内での該質量体３の動きを抑制する粘性材４とが入れられ、重心位置を外転動体２の転動中心位置から偏心させた球形の免震支承用転動子１が、その重心位置を外転動体１の転動中心位置の下方に位置させて、例えば上下の受け面５，６間に備えられている。【選択図】      図１
2008128461.tif 000002
【特許請求の範囲】
【請求項１】
殻状の外転動体の内部に、質量体と、外転動体内での該質量体の動きを抑制する粘性材とが入れられることで、重心位置を外転動体の転動中心位置から偏心させた外周円形の免震支承用転動子が、その重心位置を外転動体の転動中心位置の下方に位置させて備えられていることを特徴とする転がり免震支承構造。
【請求項２】
重心位置を転動中心位置から偏心させた一体構造又は一体的構造の外周円形の免震支承用転動子が、その重心位置を転動子の転動中心位置の下方に位置させて備えられていることを特徴とする転がり免震支承構造。
【発明の詳細な説明】
【技術分野】
【０００１】
本発明は、転がり免震支承構造に関する。
【背景技術】
【０００２】
上下の皿で転動子としての鋼製の球体を挟み、上下の皿が水平方向に相対変位をすると球体が転動して免震を行うようになされた転がり免震支承構造は、従来より提供されている。また、この転がり免震支承構造において、上下の皿の向き合う面をそれぞれ中央側に円錐状あるいは球面状にくぼませ、復元力や変位抑制力を生じさせるようにした転がり免震支承構造も提供されている。
【特許文献１】特開２００３−２４７５９０号公報
【発明の開示】
【発明が解決しようとする課題】
【０００３】
しかしながら、復元力や変位抑制力を生じさせるための手段として、上記のような手段を採用すると、免震時に上部構造部が上下に変位をしてしまう。
【０００４】
復元力や変位抑制力を生じさせるその他の手段も種々考えられるが、機構が複雑になりやすい。
【０００５】
本発明は、上記のような問題点に鑑み、免震時に上部構造部を上下させず、しかも、簡素な構造で、復元力や変位抑制力を生じさせることができる転がり免震支承構造を提供することを課題とする。
【課題を解決するための手段】
【０００６】
上記の課題は、殻状の外転動体の内部に、質量体と、外転動体内での該質量体の動きを抑制する粘性材とが入れられることで、重心位置を外転動体の転動中心位置から偏心させた外周円形の免震支承用転動子が、その重心位置を外転動体の転動中心位置の下方に位置させて備えられていることを特徴とする転がり免震支承構造によって解決される（第１発明）。
【０００７】
この転がり免震支承構造では、転動子が免震で転動すると、粘性材の作用で質量体が外転動体と一体的な動きをして、転動子の重心位置が外転動体の転動中心位置の下方から側方に移動し、この移動によって、転動子には、モーメントが働いて、転動子の重心位置が外転動体の転動中心位置の下方の位置に戻ろうとし、復元力や変位抑制力を生じさせることができる。
【０００８】
しかも、外周円形の転動子そのものに復元力や変位抑制力を生じさせる手段を組み込んだ構造としているので、免震時に上部構造部を上下させてしまうこともないし、しかも、構造簡素な転がり免震支承構造を実現することができる。
【０００９】
加えて、転動子は、殻状の外転動体の内部に質量体と粘性材とを入れて、重心位置を外転動体の転動中心位置から偏心させた構造であるから、殻状の外転動体の内部の質量体は、外転動体がどの向きを向いていようと、自重によって、転動子の重心位置を外転動体の転動中心位置の下方に位置させるように位置することができ、転動子の重心位置を外転動体の転動中心位置の下方に容易に位置させることができる。
【００１０】
また、上記の課題は、重心位置を転動中心位置から偏心させた一体構造又は一体的構造の外周円形の免震支承用転動子が、その重心位置を転動子の転動中心位置の下方に位置させて備えられていることを特徴とする転がり免震支承構造によっても解決される（第２発明）。
【００１１】
この転がり免震支承構造においても、転動子が免震で転動すると、転動子の重心位置が転動子の転動中心位置の下方から側方に移動し、その移動によって、転動子には、モーメントが働いて、転動子の重心位置が転動中心位置の下方の位置に戻ろうとし、復元力や変位抑制力を生じさせることができ、しかも、外周円形の転動子そのものに復元力や変位抑制力を生じさせる手段を組み込んだ構造としているので、免震時に上部構造部を上下させてしまうこともないし、しかも、構造簡素な転がり免震支承構造を実現することができる。
【発明の効果】
【００１２】
本発明の転がり免震支承構造は、以上のとおりのものであるから、免震時に上部構造部を上下させず、しかも、簡素な構造で、復元力や変位抑制力を生じさせることができる。
【発明を実施するための最良の形態】
【００１３】
次に、本発明の実施最良形態を図面に基づいて説明する。
【００１４】
図１（イ）に示す第１実施形態の転がり免震支承構造において、１は免震支承用の外周球形の転動子であり、該転動子１は、球形殻状の外転動体２の内部に、球形の質量体３が入れられると共に、外転動体２内での該質量体３の動きを抑制するオイル等からなる粘性材４が外転動体２内に充満状態となるように入れられ、重心位置Ｇが外転動体２の転動中心位置Ｃから偏心した構造になっている。なお、質量体３の外径は、外転動体２の内径よりも小さく、外転動体２と質量体３は鋼などからなり、粘性材４は質量体３よりも比重の軽いものが用いられている。
【００１５】
そして、該転動子１は、その重心位置Ｇを外転動体２の転動中心位置Ｃの下方に位置させるようにして上下の平坦な受け面５，６に受けられて転がり免震支承構造を構成している。
【００１６】
転動子１を上下の受け面５，６間の所定の位置にセットすれば、内部の質量体３は、その自重により、外転動体２内の最下部に位置して、転動子１の重心位置を外転動体２の転動中心位置の下方に容易に位置させることができる。質量体３が本実施形態におけるように球体からなる場合は、質量体３を外転動体２内の最下部にスムーズに移動させることができる。
【００１７】
上記の転がり免震支承構造では、図１（ロ）（ハ）に示すように、地震等により、上下の受け面５，６が水平方向に相対変位を行うと、実線矢印で示すように、転動子１がそれに追従するように転動し、粘性材４の作用で質量体３が外転動体２と一体的な動きをして、転動子１の重心位置Ｇが外転動体２の転動中心位置Ｃの下方から側方に移動し、この移動によって、転動子１には、モーメントが働いて、破線矢印で示すように、転動子１の重心位置Ｇが外転動体２の転動中心位置Ｃの下方の位置に戻ろうとし、復元力や変位抑制力を生じる。
【００１８】
図２（イ）に示す第２実施形態の転がり免震支承構造における転動子１は、外周球形の一体的構造をしていて、転動中心位置Ｃを通る面を挟む一方の側に半球状の中空の空洞部７を形成することでもう一方の側を質量部８とし、この質量部８によって転動子１の重心位置Ｇを転動中心位置Ｃから偏心させた構造となっていて、その重心位置Ｇを外転動体２の転動中心位置Ｃの下方に位置させるようにして上下の平坦な受け面５，６に受けられて転がり免震支承構造を構成している。
【００１９】
この転がり免震支承構造においても、図２（ロ）（ハ）に示すように、地震等により、上下の受け面５，６が水平方向に相対変位を行うと、実線矢印で示すように、転動子１がそれに追従するように転動し、転動子１の重心位置Ｇが外転動体２の転動中心位置Ｃの下方から側方に移動し、この移動によって、転動子１には、モーメントが働いて、破線矢印で示すように、転動子１の重心位置Ｇが外転動体２の転動中心位置Ｃの下方の位置に戻ろうとし、復元力や変位抑制力を生じる。
【００２０】
本発明の転がり免震支承構造は、例えば、変位の許容量が少ない狭小地への免震住宅の適用や、ショーケース等の免震装置などに好適に用いることができる。
【００２１】
以上に、本発明の実施形態を示したが、本発明はこれに限られるものではなく、発明思想を逸脱しない範囲で各種の変更が可能である。例えば、上記の第１実施形態では、質量体１として球体を用いた場合を示しているが、第１発明では、形状は球に限らないし、また、粒状粒の集合体や粉状粒子の集合体などであってもよい。
【００２２】
また、上記の第２実施形態では、質量部８が転動子１と一体である場合を示したが、第２発明における転動子は、該質量部８に相当する質量体を球形外殻状の外転動体の内部に接合等によって一体化したものなどであってもよいし、あるいはまた、空洞部を備えているか否かを問わず、比重の異なる複数の材料を複合一体化することによって、重心位置を転動中心位置から偏心させた構造に構成されていてもよいし、要は、重心位置を転動中心位置から偏心させた一体構造又は一体的構造のものからなっていればよい。
【００２３】
また、上記の各実施形態では、転動子１を上下の平坦な受け面５，６間に設置して転がり免震支承構造を構成した場合を示したが、キャスター式の転がり免震支承構造における転動子に提供することも可能である。
【００２４】
更に、上記の各実施形態では、転動子１が球形である場合を示したが、円筒形などであってもよく、要は、外周が円形のものであればよい。
【図面の簡単な説明】
【００２５】
【図１】図（イ）は第１実施形態の転がり免震支承構造を示す断面正面図、図（ロ）及び図（ハ）はそれぞれ作動状態を示す断面正面図である。
【図２】図（イ）は第２実施形態の転がり免震支承構造を示す断面正面図、図（ロ）及び図（ハ）はそれぞれ作動状態を示す断面正面図である。
【符号の説明】
【００２６】
１…転動子
２…外転動体
３…質量体
４…粘性材
Ｃ…転動中心位置
Ｇ…重心位置
【図１】
2008128461.tif 000003
【図２】
2008128461.tif 000004